(57)【要約】本発明は、背中を曲げないで両面を使用することが可能なフロアモップ、および磁力で固定可能であり、支持パッドに付着された雑巾の両面を選択的に固定するための回転構造を有するフロアモップに関するものである。前記回転構造は、磁力によって雑巾を圧迫して固定するための永久磁石を有する。ここで、前記回転構造は、支持パッドにヒンジ結合された第１回動部と、前記第１回動部にヒンジ結合された第２回動部と、前記第２回動部にヒンジ結合されたローラーとからなる３重ヒンジ連結構造を有する。
2006513794.tif 000002
【特許請求の範囲】
【請求項１】
各雑巾が両面に付着されるようにベルクロ状テープが付着され、長方形板状構造を有する支持パッドと；
前記支持パッドの側部に下部が回転可能にヒンジ結合された第１回動部、上部中央に回転切開部が長手方向に形成され、前記第１回動部の上部に下部が回転可能にヒンジ結合されることにより、前記支持パッドの両面のいずれか一面に選択的に付着される第２回動部、および前記回転切開部に反対側に回転可能に連結されるローラーを備える回動部と；
前記ローラーの中心に対して垂直に起点として形成され、上部に棒材がヒンジ結合される連結部材と；
前記棒材が前記支持パッドおよび前記回動部を同時に押すか引くことができるように、前記支持パッドの両面の前記いずれか一面を前記回動部に固定するためのもので、前記回動部および前記支持パッドに装着された固定手段と；
を含んでなることを特徴とする、両面使用可能なフロアモップ。
【請求項２】
前記ローラーは、
前記回転切開部の内側面に回転可能にヒンジ結合された一対のヒンジ結合部と；
前記ヒンジ結合部間に連結され、前記ヒンジ結合部より相対的に小さな直径を有する連結シャフトと；
を含むことを特徴とする、請求項１に記載の両面使用可能なフロアモップ。
【請求項３】
前記回転切開部は、前記ローラーの両側に挿入されてヒンジ結合される突起をさらに含むことを特徴とする、請求項２に記載の両面使用可能なフロアモップ。
【請求項４】
前記固定手段は、永久磁石と、磁力によって前記永久磁石に結合される鋼鉄部とを含むことを特徴とする、請求項３に記載の両面使用可能なフロアモップ。
【請求項５】
前記永久磁石と前記鋼鉄部は、その間に雑巾を介在したままで前記第２回動部と前記支持パッドにそれぞれ反対側に位置することを特徴とする、請求項４に記載の両面使用可能なフロアモップ。
【請求項６】
前記永久磁石は、前記第２回動部の両面に両側がそれぞれ付着されることを特徴とする、請求項５に記載の両面使用可能なフロアモップ。
【請求項７】
前記鋼鉄部のそれぞれは、前記永久磁石と前記鋼鉄部との間に磁力結合できるように、前記永久磁石のそれぞれの位置に対応する支持パッドの両面に付着されることを特徴とする、請求項６に記載の両面使用可能なフロアモップ。
【請求項８】
前記第２回動部の前記回転切開部は、所定の隙間を置いて両側に形成された一対のソケットで形成されることを特徴とする、請求項１に記載の両面使用可能なフロアモップ。
【請求項９】
前記ローラーは、
前記ソケットのそれぞれに挿入される一対のヒンジ結合部と；
前記ヒンジ結合部間に連結され、前記ヒンジ結合部より相対的に小さな直径を有する連結シャフトと；
を含むことを特徴とする、請求項８に記載の両面使用可能なフロアモップ。
【請求項１０】
前記両面使用可能なフロアモップは、前記ソケットのそれぞれの内側面に、前記ヒンジ結合部の一面の中心に挿入されてヒンジ結合されるソケット突起をさらに含むことを特徴とする、請求項９に記載の両面使用可能なフロアモップ。
【請求項１１】
前記両面使用可能なフロアモップは、前記結合部のそれぞれの外周縁に取り付けられ、前記結合部と結合された前記ソケットのそれぞれの内周縁と点接触するボールベアリングをさらに含むことを特徴とする、請求項１０に記載の両面使用可能なフロアモップ。
【請求項１２】
前記固定手段は、永久磁石と、磁力によって前記磁石と結合される鋼鉄部とを含むことを特徴とする、請求項１１に記載の両面使用可能なフロアモップ。
【請求項１３】
前記永久磁石と前記鋼鉄部はそれぞれ前記ローラーと前記支持パッドに反対側に位置することを特徴とする、請求項１２に記載の両面使用可能なフロアモップ。
【請求項１４】
前記永久磁石は前記連結部材と対称状の位置で前記ローラーの連結シャフトの外周縁に装着され、前記連結シャフトの軸方向に形成された前記切開部の内側に取り付けられることを特徴とする、請求項１３に記載の両面使用可能なフロアモップ。
【請求項１５】
前記鋼鉄部は、磁力によって前記永久磁石と結合されるように、前記切開部の反対側位置で前記支持パッドの両面に固定されることを特徴とする、請求項１４に記載の両面使用可能なフロアモップ。
【発明の詳細な説明】
【技術分野】
【０００１】
本発明は背中を曲げないで両面を使用することが可能なフロアモップ、および磁力で固定可能なフロアモップに関するものである。より詳しくは、本発明は支持パッドにヒンジ結合された第１回動部と、前記第１回動部にヒンジ結合された第２回動部と、前記第２回動部にヒンジ結合されたローラーとからなる３重ヒンジ連結構造を有することにより、支持パッドの周りに一層円滑に回動できる、両面使用可能なフロアモップに関するものである。
【背景技術】
【０００２】
一般に、フロアまたは教室、居室などを掃除するためのモップは、使用者の胸に達する長さを有する棒材と、前記棒材の端に取り付けられた雑巾とからなる。従来のモップを使用する使用者は、使用中に背中を伸ばしたままでモップを使用するが、モップを洗浄するかまたはモップの雑巾を交換する場合には、背中を曲げたままモップを操作しなければならない。したがって、掃除を繰り返すに従い、主婦または学生などの使用者の腰が酷使し、汚れた雑巾を握るため、よくない印象を与える。
【０００３】
また、従来のモップは、ただ１回の掃除で広い面積を掃除するために大きな雑巾部を有する。したがって、このようなモップは広い面積を掃除するのには効率的であるが、狭い面積、凹部、または隅部を掃除することができない欠点がある。
【０００４】
前記のような従来のモップの問題点を解決するために多様なモップが開発されたが、雑巾を頻繁に交換しなければならない欠点および雑巾を交換する不便さを有する。
【発明の開示】
【発明が解決しようとする課題】
【０００５】
発明の詳細な説明
本発明は前記のような問題点を解決するためになされたもので、本発明の主目的は、両面使用可能なフロアモップを提供することである。
【０００６】
本発明の第２目的は、背中を曲げないで足を用いてモップの掃除面を容易に交換することができる両面使用可能なフロアモップを提供することである。
【０００７】
本発明の第３目的は、雑巾を固定するための面積を増加させることにより、雑巾が安定的に位置しかつ押されないようにした、両面使用可能なフロアモップを提供することである。
【課題を解決するための手段】
【０００８】
前記およびほかの利点を達成するため、本発明の目的によれば、各雑巾が両面に付着されるようにベルクロ状テープが付着され、長方形板状構造を有する支持パッドと、前記支持パッドの側部に下部が回転可能にヒンジ結合された第１回動部、上部中央に回転切開部が長手方向に形成され、前記第１回動部の上部に下部が回転可能にヒンジ結合されることにより、前記支持パッドの両面のいずれか一面に選択的に付着される第２回動部、および前記回転切開部に反対側に回転可能に連結されるローラーを備える回動部と、前記ローラーの中心に対して垂直に起点として形成され、上部に棒材がヒンジ結合される連結部材と、前記棒材が前記支持パッドおよび前記回動部を同時に押すか引くことができるように、前記支持パッドの両面の前記いずれか一面を前記回動部に固定するためのもので、前記回動部および前記支持パッドに装着された固定手段とを含んでなる両面使用可能なフロアモップが提供される。
【０００９】
そして、前記回転切開部は、前記ローラーの両側に挿入されてヒンジ結合される突起をさらに含むことが好ましい。
【００１０】
また、前記固定手段は、永久磁石と、磁力によって前記永久磁石に結合される鋼鉄部とを含むことが好ましい。
【００１１】
また、前記永久磁石と前記鋼鉄部は、前記第２回動部と前記支持パッドにそれぞれ反対側に位置するか、または前記永久磁石と前記鋼鉄部は、前記ローラーと前記支持パッドにそれぞれ反対側に位置することが好ましい。
【００１２】
本発明は前記のような構造に限定されるものではなく、前記第２回動部の前記回転切開部は、所定の隙間を置いて両側に形成された一対のソケットで形成され、前記各ソケットの対応内側の前記ヒンジ結合部の一面中心にソケット突起が挿入されてヒンジ結合されることができる。ここで、前記永久磁石は、前記連結部材と対称状の位置で前記ローラーの連結シャフトの外周縁に装着され、前記連結シャフトの軸方向に形成された前記切開部の内側に取り付けられることが好ましい。
【発明の効果】
【００１３】
本発明による両面使用可能なフロアモップによれば、前記フロアモップは雑巾の両面のいずれか一面に選択的に付着可能であるので、使用者は雑巾の両面を使用することができる。本発明は、雑巾の両面上でのローラーの回転が３重ヒンジ結合構造によって円滑になされるという特徴を有する。
【００１４】
また、本発明は、雑巾の両面を使用することにより、雑巾の交換期間を２倍に延長させることができる。
【００１５】
また、本発明は、背中を曲げなく、足を使用してフロアモップの掃除綿を容易に交換することができる。したがって、本発明は、使用者の腰を酷使しなく、使用者が長時間掃除作業を行っても疲労が減少する効果を有する。
【発明を実施するための最良の形態】
【００１６】
好適な実施例の詳細な説明
以下、本発明による両面使用可能なフロアモップを添付図面に基づいて説明する。
【００１７】
図１は本発明による両面使用可能なフロアモップ１００の第１実施例の概略図である。そして、図２は図１の両面使用可能なフロアモップ１００の第１回動部２０および支持パッド１０の概略図である。また、図３は図１の両面使用可能なフロアモップ１００の側面図である。また、図４は図１の両面使用可能なフロアモップ１００の第２回動部３０およびローラー４０の概略図である。
【００１８】
図１、図２、図３および図４に示すように、フロアモップ１００は支持パッド１０に付着された雑巾９０の両面を選択的に固定するための回転構造を有する。この回転構造は、磁力で雑巾を加圧して固定するための永久磁石８０を有する。
【００１９】
ここで、この回転構造は回動部５０から形成され、この回動部５０は、前記支持パッド１０にヒンジ結合された第１回動部２０、前記第１回動部２０にヒンジ結合された第２回動部３０、および前記第２回動部３０にヒンジ結合されたローラー４０とを含む連結構造を有することにより、この回転構造は支持パッド１０の周りに円滑に回転可能である。
【００２０】
そして、専用雑巾９０を固定するために、支持パッド１０にはベルクロ状テープ１２が付着される。支持パッド１０の両側には、専用雑巾９０の水がうまく排水されるように、二つの通水部１１が穿設される。この通水部１１は互いに対称状をなし、長方形の構造を有する。好ましくは、支持パッド１０の両面周縁部の通水部１１の周りに八つのベルクロ状テープ１２が位置する。
【００２１】
そして、支持パッド１０の一側面の周縁部には第１回動部２０が取り付けられる。第１回動部２０の一面は支持パッド１０の一側面にヒンジ結合されるので、第１回動部２０が支持パッド１０の周りにおよそ１８０°まで回動することができる。第１回動部２０の上部には第２回動部３０がヒンジ結合される。
【００２２】
第２回動部３０の下部には、２対の四つのリンク連結部３１が突設される。各リンク連結部３１は第１回動部２０の上部に挿入されて結合されるので、各リンク連結部３１が回動可能である。
【００２３】
第２回動部３０は、支持パッド１０より相対的に小さいサイズを有する長方形の平面構造を有する。第２回動部３０の両面には凹凸部３２が形成され、この凹凸部は、長手方向に列をなして多数突出している。これは、使用者が雑巾９０の一面をほかの面と取り替えようとする場合、靴が滑ることを防止し、雑巾９０を固定して雑巾９０が滑らないようにするためである。
【００２４】
第２回動部３０の上部には回転切開部３３が形成され、この回転切開部３３は長方形構造を有し長手方向に切開されている。ここで、回転切開部３３の両側には突出部３３Ａが突設される。
【００２５】
回転切開部３３の内部にはローラー４０がヒンジ結合される。ローラー４０は、両側にホイールのように形成された一対のヒンジ結合部４１と、前記二つのヒンジ結合部４１を連結するための連結シャフト４２とを含む。この連結シャフト４２はヒンジ結合部４１より小さい直径を有する。
【００２６】
ここで、ヒンジ結合部４１の各端部には、ローラー４０が回転切開部３３の突起３３Ａを中心軸として円滑に回転するように、ヒンジ孔４１Ａが形成され、このヒンジ孔４１Ａは突起３３Ａより相対的に大きな直径を有する。
【００２７】
以上のように、第２回動部３０は、第１回動部２０およびローラー４０の回転により、支持パッド１０を中心軸としておよそ３６０°の回転角度に回転することができる。これにより、第２回動部３０は支持パッド１０の両面に選択的に付着される構造を有する。したがって、第２回動部３０が支持パッド１０の一面に付着されると、第１回動部２０はおおよそ垂直に立てられ、第２回動部３０はおおよそ水平に横たわる。
【００２８】
また、ローラー４０の連結シャフト４２には連結部材６０が垂直に形成される。連結部材６０は、高さ方向に幅が減少する構造を有する。棒材７０の下部はヒンジ結合されるので、棒材７０はローラー４０を軸として回転することができる。
【００２９】
棒材７０は上部にプラスチックで形成されたグリップ７１を有するが、これは使用者が握ってフロアモップ１００を圧迫し得るようにする。そして、グリップ７１の上部には、フロアモップ１００が釘などにより掛かるように、孔７１Ａが形成される。
【００３０】
本発明は、第２回動部３０の選択的付着によって、支持パッド１０と第２回動部３０との間に雑巾９０を圧迫して固定するための手段を必要とする。このため、第２回動部３０と支持パッド１０には、それぞれ永久磁石８０と鋼鉄部８１が取り付けられる。すなわち、第２回動部３０の両面に永久磁石８０が固定され、永久磁石８０と対応する位置の支持パッド１０に鋼鉄部１８が固定される。しかし、永久磁石８０と鋼鉄部８１の位置は前記に限定されるものではなく、前記位置は互いに交換可能である。
【００３１】
したがって、支持パッド１０の両面のいずれか一面が第２回動部３０の一面に付着され、永久磁石８０と鋼鉄部８１の磁力によって、雑巾９０が第２回動部３０と支持パッド１０との間に圧迫されることができる。
【００３２】
図５は図１の両面使用可能なフロアモップの使用状態図である。図５に示すように、支持パッド１０の両面にはフロアモップ１００の雑巾９０が取り付けられ、ベルクロ状テープ１２によって固定される。雑巾９０の一面には棒材７０が装着されるので、使用者は棒材７０を加圧して、地面に密着したフロアモップ１００の雑巾９０の他面で選択位置を掃除することができる。
【００３３】
雑巾９０の一面が汚れて、使用者が雑巾９０の他面を使用しようとすると、使用者は磁力より大きい力で支持パッド１０を踏みながら棒材７０を持ち上げることにより、ローラー４０を持ち上げ、支持パッド１０を他面に回転することができる。その後、使用者は第２回動部３０の凹凸部３２を踏んで、第２回動部３０が雑巾の他面に確かに付着されるようにする。これにより、永久磁石８０と鋼鉄部８１との間に磁力が印加されることにより、雑巾が圧迫されて固定される。永久磁石８０の磁力によりフロアモップ１００が一緒に移動する。
【００３４】
図６は本発明による両面使用可能なフロアモップの第２実施例の概略図、図７は図６の両面使用可能なフロアモップの側面図である。図８は図６の両面使用可能なフロアモップの背面図である。図６、図７おおび図８に示すように、本発明による両面使用可能なフロアモップは、雑巾９０が装着される支持パッド１０に雑巾９０の両面を選択的に圧迫して固定するための回転構造を有する。この回転構造は、磁力によって雑巾９０を圧迫して固定するための永久磁石８０から形成される。
【００３５】
ここで、前記回転構造は回動部５０から形成され、この回動部５０は、支持パッド１０にヒンジ結合された第１回動部２０、前記第１回動部２０にヒンジ結合された第２回動部３０、および前記第２回動部３０にヒンジ結合されたローラー４０を含む連結構造を有するので、回転構造が円滑に回転することができる。
【００３６】
第１回動部２０は雑巾９０に長手方向に付着された支持パッド１０の一側面の中間縁部の屈曲部に装着される。第１回動部２０の下部は支持パッド１０の縁部にヒンジ結合されるため、第１回動部２０は支持パッド１０を軸として回転することができる。
【００３７】
そして、第１回動部２０の上部には第２回動部３０がヒンジ結合される。第１回動部２０の上部と第２回動部３０の下部は反復的な突部と対応凹部により結合される。
【００３８】
第２回動部３０の両側上部には対称状にソケット３４が形成され、このソケットは半球形を有する。内面中心にはソケット突起３４Ａが互いに反対側に突設される。
【００３９】
ソケット３４間にはローラー４０が取り付けられる。ローラー４０は、輪状としてローラーの両側に形成された一対のヒンジ結合部４１と、前記ヒンジ結合部４１より相対的に小さな直径を有し、前記ヒンジ結合部４１を連結する連結シャフト４２とを含む。
【００４０】
ここで、各ヒンジ結合部４１は対応ソケット３４に挿入される。各ソケット突起３４Ａは、各ヒンジ結合部４１の一面中央凹部に挿入されることにより、ヒンジ結合される。したがって、ローラー４０はソケットを軸として回転することができる。
【００４１】
したがって、前述したように、ローラー４０は支持パッド１０を中心軸としておよそ３６０°の角度に回転することができる。したがって、ローラー４０が支持パッド１０の一面に付着されると、第１回動部２０がおおよそ垂直に立てられ、第２回動部３０がおおよそ水平に横たわる。
【００４２】
また、ローラー４０の連結シャフト４２には、シャフトの軸線に垂直に連結部材６０が形成される。この連結部材６０は、高さ方向に幅が減少する構造を有する。この連結部材６０の上部には棒材７０の下部がヒンジ結合されるので、棒材７０は回動部５０の回転方向に対して垂直に回転することができる。
【００４３】
本発明は、ローラー４０の選択的付着によって、支持パッド１０とローラー４０との間に雑巾９０を圧迫してロックさせるための手段を必要とする。このため、ローラー４０と支持パッド１０にはそれぞれ永久磁石８０と鋼鉄部８１が取り付けられる。すなわち、永久磁石８０はローラー４０の両側下部に固定され、鋼鉄部８１は永久磁石８０と対応する位置の支持パッドに固定される。
【００４４】
したがって、支持パッド１０の両面のいずれか一面がローラー４０の一面に付着された場合、雑巾９０は、永久磁石８０と鋼鉄部８１の磁力によって、ローラー４０と支持パッド１０との間に圧迫されて固定できる。
【００４５】
図９は図６の両面使用可能なフロアモップのローラーおよび支持パッドの断面図である。図９に示すように、ローラー４０はホイールのシャフトとして形成されるもので、ヒンジ結合部４１と連結シャフト４２と含む。ここで、ヒンジ結合部４１は第２結合部３０のソケット３４に挿入される輪形状を有し、連結シャフト４２は各ヒンジ結合部４１を連結するシャフト形状を有する。
【００４６】
ここで、ヒンジ結合部の一面の中心にはソケット３４の突起３４Ａが挿入されるので、ローラー４０が回転することができる。そして、ローラー４０の回転構造を補強するように、ヒンジ結合部４１の縁部にはボールベアリングが放射状に装着される。
【００４７】
ボールベアリングの位置と対応するヒンジ結合部４１の縁部は、前述したようなボールベアリング結合構造のために中空が形成される。したがって、ソケット３４の側面部はベアリングに対して点接触するので、ソケット３４とヒンジ結合部間の摩擦係数が比較的減少する。
【００４８】
連結シャフト４２には切開部４３が軸方向に形成される。外部に露出した切開部４３には永久磁石８０が挿入される。永久磁石８０の位置と対応する支持パッド１０の両側には鋼鉄部８１が固定される。したがって、永久磁石８０が磁力によって選択的に回転して各鋼鉄部８１に付着される。
【００４９】
雑巾９０の一面が汚れて、使用者が雑巾９０の他面を使用しようとする場合、使用者は磁力より大きな力で支持パッド１０を踏みながら棒材７０を持ち上げることにより、使用者は、ローラー４０が雑巾９０の他面に付着するように、ローラー４０を持ち上げ、支持パッド１０を他面側に回転させることができる。ここで、他面にも対応して鋼鉄部８１が形成されるため、雑巾９０が圧迫および固定されることができる。
【００５０】
使用者が雑巾９０を新しいものと交換しようとする場合、使用者が棒材７０を持ち上げてローラー４０を上げるので、回動部５０が支持パッド１０から分離される。雑巾９０を交換した後、使用者が棒材５０を移動して回動部５０を復帰させることにより、交換された雑巾９０がローラー４０に付着される。したがって、永久磁石８０と鋼鉄部間の磁力によって圧迫されて固定される。
【００５１】
図１０は本発明の第３実施例による両面使用可能なフロアモップのローラーおよび支持パッドの断面図である。図１０に示すように、第３実施例の構造は第２実施例の構造に似ている。相違点は、各ヒンジ結合部４１の下部と上部にそれぞれ切開部４３が形成され、総四つの磁石８０が挿入、固定されるという点である。ここで、支持パッド１０の両面上には、ローラー４０の対応位置に各鋼鉄部８１が固定される。
【００５２】
したがって、永久磁石８０と鋼鉄部８１の磁力によって、ローラー４０と支持パッド１０との間に雑巾９０が圧迫されて固定される。
【００５３】
図１１は図６および図１０の両面使用可能なフロアモップの使用状態図である。図１１に示すように、雑巾９０は支持パッド１０の周縁に沿ってフロアモップ１００に装着され、ベルクロ状テープ１２によって固定される。したがって、ローラー４０のヒンジ結合部４１または連結シャフト４２に取り付けられた永久磁石８０とこの永久磁石８０の位置に対応する支持パッド１０の両面に固定された鋼鉄部８１との間の磁力によって雑巾９０の一面が圧迫されて固定される。
【００５４】
固定された雑巾９０の一面には棒材７０が位置する。これにより、使用者は雑巾９０の他面を床面に密着した後、棒材７０を選択方向に押してフロアモップ１００を使用することができる。雑巾の一面が汚れたため、使用者が雑巾の他面を使用しようとする場合、使用者は棒材７０を握ったままで磁力より大きな力で支持パッド１０を踏むことにより、ローラー４０と支持パッド１０間の磁力結合を分離してローラー４０を持ち上げることができる。そして、使用者は回動部５０を支持パッド１０の他面に回転させて、磁力によって他面の鋼鉄部８１と永久磁石８０間を結合させることにより、雑巾９０の他面が圧迫されて固定される。したがって、棒材７０は雑巾９０の他面に位置し、相対的にきれいな面が地面に密着して使用される。
【００５５】
図１２は本発明による両面使用可能なフロアモップの第４実施例の概略図である。図１２に示すように、第４実施例の構造は第２実施例の構造と類似する。しかし、ローラー４０はヒンジ結合部４１と連結シャフト４２によって分割されない状態の一定直径を有する円筒形に形成されるが、これはほかの実施例らとは異なる。このローラー４０は、その一面が底板と接触するような直径を有し、回転切開部３３に形成された突起３３Ａにヒンジ結合される。
【００５６】
ここで、連結部材６０と対称状のローラー４０の下部、または前記ローラー４０の下部に対応する支持パッド１０の両面に永久磁石８０が装着され、永久磁石８０の反対側位置に鋼鉄部８１が固定される。前記のように構成された永久磁石８０および鋼鉄部８１はローラー４０と支持パッド１０との間に取り付けられた雑巾９０を圧迫して固定する。
【産業上の利用可能性】
【００５７】
本発明による両面使用可能なフロアモップは、鋼鉄部の代わりに本発明による永久磁石の反対極性を有するほかの永久磁石を使用することができ、鋼鉄部と永久磁石の位置を変えることができる。
【００５８】
そして、本発明は、ベルクロ状テープの代わりに、支持パッド上に装着された雑巾を固定するための手段として、押しボタン、クランプなどを使用することができる。
【００５９】
掃除面積が小さい場合は、支持パッドおよびこれに装着された雑巾を、長方形の代わりに、掃除に適切な構造に変更することができる。たとえば、フロアモップを押す方向を長手方向に設定することができる。支持パッドおよび雑巾の形状は完全平方形、円形、五角形、六角形などのいずれか一つを選択することができる。
【００６０】
また、雑巾は好ましくは綿織物または超極細繊維から形成される。
【００６１】
そして、ヒンジ結合部には、ボールベアリングの代わりに、ニードルベアリング、一般のジャーナルベアリングを取り付けることができる。ヒンジ結合部に対応する一面には突起が形成され、ソケットの内側には溝が形成されるので、本発明はソケットに突起を形成する代わりに、前記のようにヒンジ結合される。
【００６２】
また、棒材は長さを調整するために多段結合構造になることができる。
【００６３】
本発明は、本発明の精神または本質的特徴から逸脱しないで幾つかの形態に具現できるので、前述実施例は、特別の決めのない限り、前記説明の詳細によって限定されるものではなく、添付の特許請求範囲に定義された精神および範囲内で広く解釈されるべきであるので、特許請求範囲の境界内に属する全ての変形および修正、またはその同等物は添付の特許請求範囲内に含まれるものである。
【図面の簡単な説明】
【００６４】
本発明のより明らかな理解のために、本明細書の一部を構成するように備えられた添付図面は、本発明の原理を説明する機能をする説明とともに本発明の実施例を例証する。
【図１】本発明による両面使用可能なフロアモップの第１実施例の概略図である。
【図２】図１の両面使用可能なフロアモップの第１回動部および支持パッドの概略図である。
【図３】図１の両面使用可能なフロアモップの側面図である。
【図４】図１の両面使用可能なフロアモップの第２回動部およびローラーの概略図である。
【図５】図１の両面使用可能なフロアモップの使用状態図である。
【図６】本発明による両面使用可能なフロアモップの第２実施例の概略図である。
【図７】図６の両面使用可能なフロアモップの側面図である。
【図８】図６の両面使用可能なフロアモップの背面図である。
【図９】図６の両面使用可能なフロアモップのローラーおよび支持パッドの断面図である。
【図１０】本発明の第３実施例による両面使用可能なフロアモップのローラーおよび支持パッドの断面図である。
【図１１】図６および図１０の両面使用可能なフロアモップの使用状態図である。
【図１２】本発明による両面使用可能なフロアモップの第４実施例の概略図である。
【図１】
2006513794.tif 000003
【図２】
2006513794.tif 000004
【図３】
2006513794.tif 000005
【図４】
2006513794.tif 000006
【図５】
2006513794.tif 000007
【図６】
2006513794.tif 000008
【図７】
2006513794.tif 000009
【図８】
2006513794.tif 000010
【図９】
2006513794.tif 000011
【図１０】
2006513794.tif 000012
【図１１】
2006513794.tif 000013
【図１２】
2006513794.tif 000014
【国際調査報告】
2006513794.tif 000015
2006513794.tif 000016